(57)【要約】【課題】  業務用無線ネットワークにおいて、人や使用環境の変化に対して、きめ細かな音声レベルの調整がされる無線通話システムとその無線端末とを提供する。【解決手段】  基地局２を介してお互いが通話を行う受話側無線端末３が、送話側無線端末２から送られてきた音声データの通話信号レベルに応じて音声レベルの調整を行い、調整された音声レベルの調整値データと送信側無線端末２の接続番号等とを蓄積すると共に、測定値データを送話側無線端末２に返信し、送話側無線端末２は、返信された音声レベルの調整値データに従ってマイクレベルを調整し、レベル調整された音声データを送信する、また、次回通話開始時には接続番号を照合し、自動的に蓄積されている調整値データを送信する、さらに、基地局を介さないで通話が可能なエリア内では、無線端末間で直接に通話をする無線通話システムおよびその無線端末である。【選択図】    図１
2005175835.tif 000002
【特許請求の範囲】
【請求項１】
業務用無線ネットワークを構成する基地局および無線端末からなる無線通話システムにおいて、
受話側無線端末が、送話側無線端末から送られてきた音声データの通話信号レベルに応じて音声レベルの調整を行い、調整された音声レベルの調整値データを蓄積する手段と、前記送話側無線端末に返信する手段とを備え、前記送話側無線端末が、返信された前記調整値データに従って、マイクレベルを調整する手段を備え、前記無線端末が前記基地局を介して通信を行うことを特徴とする無線通話システム。
【請求項２】
業務用無線ネットワークを構成する送信側無線端末と受信側無線端末とからなる無線通話システムにおいて、
受話側無線端末が、送話側無線端末から送られてきた音声データの通話信号レベルに応じて音声レベルの調整を行い、調整された音声レベルの調整値データを蓄積する手段と、前記送話側無線端末に返信する手段とを備え、前記送話側無線端末が、返信された前記調整値データに従って、マイクレベルを調整する手段を備え、前記受話側無線端末と前記送話側無線端末とが直接通話を行うことを特徴とする無線通話システム。
【請求項３】
請求項１または２に記載の無線通話システムに使用される無線端末であって、
前記受話側無線端末が、前記調整値データと前記送話側無線端末の接続番号のデータとを共に蓄積し、次回通話開始時には前記接続番号を照合し、自動的に前記調整値データを送信する手段を備えたことを特徴とする無線端末。
【発明の詳細な説明】
【技術分野】
【０００１】
本発明は、音声レベル調整機能を有する業務用無線通話システムおよびその無線端末に関する。
【背景技術】
【０００２】
従来の無線端末用マイクロホンは、感度調整機能を持たないため、人や使用環境によって変化する音声レベルに応じて、最適な感度に調整することができなかった。また、新たに提案された特許文献１に記載されているような音量調節機能は、サービスエリアに応じた音量調整値をあらかじめ記憶させる必要があり、人や使用環境の変化に対して、きめ細かな調整が難しいという問題があった。
【特許文献１】特開２００２−２９０５３９号公報
【発明の開示】
【発明が解決しようとする課題】
【０００３】
本発明は、このような問題を解決するためになされたものであり、その目的は、人や使用環境の変化に対して、きめ細かな音声レベルの調整がされる無線通話システムとその無線端末とを提供することにある。
【課題を解決するための手段】
【０００４】
本発明の無線通話システムは、業務用無線ネットワークを構成する基地局および無線端末からなる無線通話システムにおいて、受話側無線端末が、送話側無線端末から送られてきた音声データの通話信号レベルに応じて音声レベルの調整を行い、調整された音声レベルの調整値データを蓄積する手段と、前記送話側無線端末に返信する手段とを備え、前記送話側無線端末が、返信された前記調整値データに従って、マイクレベルを調整する手段を備え、前記無線端末が前記基地局を介して通信を行うことを特徴とする。
【０００５】
本発明の無線通話システムは、業務用無線ネットワークを構成する送信側無線端末と受信側無線端末とからなる無線通話システムにおいて、受話側無線端末が、送話側無線端末から送られてきた音声データの通話信号レベルに応じて音声レベルの調整を行い、調整された音声レベルの調整値データを蓄積する手段と、前記送話側無線端末に返信する手段とを備え、前記送話側無線端末が、返信された前記調整値データに従って、マイクレベルを調整する手段を備え、前記受話側無線端末と前記送話側無線端末とが直接通話を行うことを特徴とする。
【０００６】
本発明の無線端末は、業務用無線ネットワークの無線通話システムに使用される無線端末であって、前記受話側無線端末が、前記調整値データと前記送話側無線端末の接続番号のデータとを共に蓄積し、次回通話開始時には前記接続番号を照合し、自動的に前記調整値データを送信する手段を備えたことを特徴とする
【発明の効果】
【０００７】
本発明の無線通話システムによれば、人や使用環境の変化に対応して、常時、きめ細かな音声レベルを調整できる無線通話システムが実現できる。
【発明を実施するための最良の形態】
【０００８】
本発明による、業務用無線ネットワークにおける無線通話システムの実施の形態について、図１を用いて説明する。図１は、本発明の無線通話システムの構成を示すブロック図である。業務用無線ネットワークは、１つまたは複数の基地局と複数の無線端末とから成り立つが、簡単のため、図１に基地局１と送話側無線端末２と受話側無線端末３とから構成される無線通話システムを示す。
【０００９】
基地局１は、送話側無線端末２から送られてきた音声データを受信し、送話側無線端末２が指定する受話側無線端末３に受信した音声データを送信する（ステップ１）。受話側無線端末３は、基地局１から送られてきた音声データを受信し（ステップ２）、受信した音声データのレベルに応じて音声レベルを調整する。受話側無線端末３は、この調整された音声レベルの調整値データを蓄積すると共に基地局１へ送信する（ステップ３）。通常のシンプレックスモードで動作する業務用無線ネットワークにおいて、この送信は、受信が途切れた瞬間に行われる。基地局１は、受話側無線端末３から送信された音声レベルの調整値データを受信し、送話側無線端末２へ送信する（ステップ４）。送話側無線端末２は基地局１から送信された音声レベルの調整値データを受信し、調整値データに従ってレベル調整回路のレベル値を調整する。送話側無線端末２は、レベル調整後の音声データを基地局１へ送信する（ステップ５）。基地局１は送話側無線端末２から送信されたれレベル調整後の音声データを受信し、受話側無線端末３へ送信する。受話側無線端末３は、送信されたレベル調整後の音声データを受信する（ステップ６）。
【００１０】
なお、以上説明した音声レベルの調整は、基地局を介さないで、無線端末同士で直接に行うことも可能である。また、調整された音声レベルの調整値データを送話側無線端末１の接続番号などのデータと共に蓄積しておくことにより、次回通話開始時には接続番号を照合し、自動的に蓄積されている調整値データを送ることも可能である。一般の携帯電話のような、フルデュプレックスモードの通話無線端末の場合は、受話中に受話音を聞きながらレベルを調整することができる。
【００１１】
図２は、音声レベルの調整値データを送信する場合の、データの構成を示す説明図である。図２において、ＦＳには、送信データの同期を確定するための、フレーム同期信号が格納される。ＩＤには、送話側無線端末１が持つ認証情報が格納される。ＭＩＣには、音声レベルの調整値データが格納される。音声データには、通話時の音声データが格納される。受信側無線端末３は、音声レベルの調整値データをメモリに蓄積すると共に、ＭＩＣ領域に格納し、受信が途切れた瞬間に送話側無線端末１へ送信する。
【００１２】
図３は、送話側無線端末１が、受話側無線端末３から送信された図２に示すデータを受信して、音声レベル調整された音声データを送信するための回路構成を示すブロック図である。増幅器ＡＭＰ３１と制御回路ＣＰＵ３３は、レベル調整回路３２へ接続され、レベル調整回路３２はアナログ・デジタル変換回路ＡＤＣ３４へ接続されている。
【００１３】
送話側無線端末１は、受話側無線端末３から送信された図２に示すデータの変調信号を受信し、復調する。復調された復調データはＣＰＵ３３へ入力される。ＣＰＵ３３は、復調データの中から図２に示すＭＩＣ部分のデータを抽出し、レベル調整回路３２へ出力する。レベル調整回路３２は、入力されたＭＩＣ部分のデータを基に、一般のデジタルアナログ変換器等を用いてレベル設定を行う。マイク（図示せず）から出力されたアナログ音声信号は、ＡＭＰ３１へ入力され、一定の増幅レベルに増幅された後、レベル調整回路３２へ出力される。レベル調整回路３２は、この入力されたアナログ音声信号を、設定されたレベルに再度増幅しＡＤＣ３４へ出力する。ＡＤＣ３４は、入力されたアナログ音声信号をアナログ・デジタル変換して、デジタル音声信号として出力する。
【００１４】
図３に示される回路構成は、当該機能を実現する手段であれば、どのような回路または装置であってもよく、また機能の一部または全部をソフトウエアで実現することも可能である。さらに機能実現手段を、複数の回路によって実現してもよく、複数の機能を単一の回路で実現してもよい。
【図面の簡単な説明】
【００１５】
【図１】本発明による無線通話システムの構成を示すブロック図である。
【図２】本発明のデータの構成を示す説明図である。
【図３】本発明による音声レベル調整の回路構成を示すブロック図である。
【符号の説明】
【００１６】
１    基地局
２    送話側端末
３    受話側端末
【図１】
2005175835.tif 000003
【図２】
2005175835.tif 000004
【図３】
2005175835.tif 000005